(57)【要約】【課題】受電装置の受電コイルの配置に応じて、より効率的に受電装置への充電を行なうことが可能な充電装置を提供する。【解決手段】受電コイルを有する受電装置に対して電磁誘導により電力を供給する充電装置が提供される。充電装置は、第１の面と、第１の面と所定の距離だけ離れた状態で対向する第２の面とを有する筐体と、第１の面側に設けられ、第１の面と第２の面との間に配置された受電装置の受電コイルに電力を送電することが可能な第１のコイルと、第２の面側に設けられ、受電装置の受電コイルに電力を送電することが可能な第２のコイルと、第１および第２のコイルの少なくとも一方を用いて、受電装置との間で情報を送受信する通信部と、受電装置から受信した情報に基づいて、第１および第２のコイルの少なくとも一方を介した受電コイルに対する電力の送電を制御する制御部とを含む。【選択図】図１
2014017921.tif 000002
【特許請求の範囲】
【請求項１】
受電コイルを有する受電装置に対して電磁誘導により電力を供給する充電装置であって、
第１の面と、前記第１の面と所定の距離だけ離れた状態で対向する第２の面とを有する筐体と、
前記第１の面側に設けられ、前記第１の面と前記第２の面との間に配置された前記受電装置の前記受電コイルに電力を送電することが可能な第１のコイルと、
前記第２の面側に設けられ、前記第１の面と前記第２の面との間に配置された前記受電装置の前記受電コイルに電力を送電することが可能な第２のコイルと、
前記第１および第２のコイルの少なくとも一方を介して、前記受電装置との間で前記受電装置に設けられた前記受電コイルに関する情報を送受信する通信部と、
前記受電装置から受信した情報に基づいて、前記第１および第２のコイルの少なくとも一方を介した前記受電コイルに対する電力の送電を制御する制御部とを備える、充電装置。
【請求項２】
前記制御部は、
前記第１および第２のコイルの少なくとも一方で前記受電コイルに関する情報を受信したかどうかを判定する判定部と、
前記判定部の判定結果に基づいて、前記第１および第２のコイルのうち前記情報を受信したコイルの少なくとも一方のコイルを介して電力を前記受電コイルに送電する送電制御部とを含む、請求項１に記載の充電装置。
【請求項３】
前記送電制御部は、前記判定部の判定結果として前記第１および第２のコイルの一方で前記受電コイルに関する情報を受信した場合には、前記第１および第２のコイルのうちの前記一方のコイルを介して、前記受電コイルに第１の電力を送電し、
前記送電制御部は、前記判定部の判定結果として前記第１および第２のコイルの両方で前記受電コイルに関する情報を受信した場合には、前記第１および第２のコイルの各々を介して、前記受電コイルに前記第１の電力の半分の第２の電力を送電する、請求項２に記載の充電装置。
【請求項４】
前記通信部は、前記第１および第２のコイルを介して、前記受電装置に対して応答要求信号を送信し、
前記受電装置は、前記通信部によって送信された応答要求信号を受信した場合、前記受電コイルに関する前記応答要求信号に対する応答信号を送信するように構成されている、請求項１〜３のいずれか１項に記載の充電装置。
【請求項５】
前記通信部は、前記第１および第２のコイルの少なくとも一方を介して送電される電力に重畳して情報を送受信する、請求項１〜４のいずれか１項に記載の充電装置。
【請求項６】
受電コイルを有する受電装置に対して電磁誘導により電力を供給する充電装置の制御方法であって、
前記充電装置は、
第１の面と、前記第１の面と所定の距離だけ離れた状態で対向する第２の面とを有する筐体と、
前記第１の面側に設けられ、前記第１の面と前記第２の面との間に配置された前記受電装置の前記受電コイルに電力を送電することが可能な第１のコイルと、
前記第２の面側に設けられ、前記第１の面と前記第２の面との間に配置された前記受電装置の前記受電コイルに電力を送電することが可能な第２のコイルとを含み、
前記充電装置の制御方法は、
前記第１および第２のコイルの少なくとも一方のコイルを介して、前記受電装置との間で前記受電装置に設けられた前記受電コイルに関する情報を送受信するステップと、
前記受電装置から受信した情報に基づいて、前記第１および第２のコイルの少なくとも一方を介した前記受電コイルに対する電力の送電を制御するステップとを含む、充電装置の制御方法。
【請求項７】
電池パックと、前記電池パックに対して電磁誘導により電力を供給する充電装置とを備える充電システムであって、
前記電池パックは、
受電コイルと、
前記受電コイルで受電した電力を蓄積するための電池セルとを含み、
前記受電コイルは、前記電池セルの側面を取り囲むように巻回して設けられ、
前記充電装置は、
第１の面と、前記第１の面と所定の距離だけ離れた状態で対向する第２の面とを有する筐体と、
前記第１の面側に設けられ、前記第１の面と前記第２の面との間に配置された前記電池パックの前記受電コイルに電力を送電することが可能な第１のコイルと、
前記第２の面側に設けられ、前記第１の面と前記第２の面との間に配置された前記電池パックの前記受電コイルに電力を送電することが可能な第２のコイルと、
前記第１および第２のコイルの少なくとも一方のコイルを介して、前記電池パックとの間で前記電池パックに設けられた前記受電コイルに関する情報を送受信する通信部と、
前記電池パックから受信した情報に基づいて、前記第１および第２のコイルの少なくとも一方を介した前記受電コイルに対する電力の送電を制御する制御部とを含む、充電システム。
【発明の詳細な説明】
【技術分野】
【０００１】
本発明は、非接触で充電を行なう充電装置、その制御方法および充電システムに関する。
【背景技術】
【０００２】
従来、携帯電話等の電子機器に内蔵される二次電池を非接触で充電する非接触充電システムが知られている。電磁誘導方式を利用した非接触充電システムでは、電子機器及びこれに対応する充電装置には、それぞれ充電のための電力を伝送するコイルが含まれている。そして、両コイルでの電磁誘導により充電装置から電子機器に交流電力が伝送され、これを直流電力に変換して二次電池を充電させるように構成されている。また、電磁界の共鳴現象を利用した共鳴方式の非接触充電システムも提案されている。例えば、非接触充電に関する技術として以下のような技術が開示されている。
【０００３】
特開２０００−１９４８１２号公報（特許文献１）には、信号のみならず電力も非接触で伝送することのできる非接触ＩＣカードに非接触で電力を供給し充電する充電装置が開示されている。充電装置は、非接触ＩＣカードを収容する収容部を備え、収容部は、非接触ＩＣカードの表裏に夫々対向する対向面の夫々に非接触電力伝送用のコイル及び軟磁性体からなる電力・信号送受信部が配置されている。
【０００４】
特開２０１０−１８３８１２号公報（特許文献２）には、共鳴型非接触充電システムが開示されている。共鳴型非接触充電システムは、交流電源と、交流電源から電力の供給を受ける１次側共鳴コイルと、１次側共鳴コイルからの電力を磁場共鳴して受電する２次側共鳴コイルと、２次側共鳴コイルから電力の供給を受ける充電器と、充電器に接続された２次電池と、１次側共鳴コイルと２次側共鳴コイルの間の電力伝送効率を算出する制御部とを備え、２次側共鳴コイル、充電器及び２次電池は移動体に設けられている。そして、１次側共鳴コイル及び２次側共鳴コイルの少なくとも一方が複数設けられ、移動体が充電のために停止した状態において、複数の１次側共鳴コイル及び２次側共鳴コイルのうち、電力伝送効率の高い組み合わせとなるものを選択して電力伝送を行う。
【先行技術文献】
【特許文献】
【０００５】
【特許文献１】特開２０００−１９４８１２号公報
【特許文献２】特開２０１０−１８３８１２号公報
【発明の概要】
【発明が解決しようとする課題】
【０００６】
電磁誘導を利用した非接触による充電方式では、充電台側の送電コイルから電池パック側の受電用のコイルに電力を供給するために、送電コイルと受電コイルとを互いを近接して配置する必要がある。そのため、充電を行なうためには、送電コイルが配置された充電面に電池パックの受電コイルが近接するように、充電台の上に電池パックが載置される必要がある。そして、電池パックの受電コイルは、通常、片面に配置されていることから電池パックを載置する向きによっては、受電コイルが離れてしまい電池パックを全く充電できなくなるとともに、電池セルに対して想定外の影響（発熱等）が起きてしまう場合もある。したがって、ユーザは、受電コイルが電池パックのどの面に配置されているかを認識した上で充電台に電池パックを載置する必要がある。
【０００７】
この点について、特許文献１には、ＩＣカードの送受電面を検出し、ＩＣカードの片面もしくは両面から非接触充電が可能な技術が開示されている。しかしながら、当該技術によると、ＩＣカード側に受光素子を設けるとともに充電装置側に発光素子を設ける必要がある。あるいは、充電器側に所定のスイッチを設ける必要がある。特許文献２に開示された技術は、上記のような問題について考慮されたものではない。
【０００８】
本発明は、上記のような問題点を解決するためになされたものであって、受電装置の受電コイルの配置に応じて、より効率的に受電装置への充電を行なうことが可能な充電装置、その制御方法および充電システムを提供することを目的とする。
【課題を解決するための手段】
【０００９】
ある実施の形態に従うと、受電コイルを有する受電装置に対して電磁誘導により電力を供給する充電装置が提供される。充電装置は、第１の面と、第１の面と所定の距離だけ離れた状態で対向する第２の面とを有する筐体と、第１の面側に設けられ、第１の面と第２の面との間に配置された受電装置の受電コイルに電力を送電することが可能な第１のコイルと、第２の面側に設けられ、第１の面と第２の面との間に配置された受電装置の受電コイルに電力を送電することが可能な第２のコイルと、第１および第２のコイルの少なくとも一方を介して、受電装置との間で受電装置に設けられた受電コイルに関する情報を送受信する通信部と、受電装置から受信した情報に基づいて、第１および第２のコイルの少なくとも一方を介した受電コイルに対する電力の送電を制御する制御部とを含む。
【００１０】
好ましくは、制御部は、第１および第２のコイルの少なくとも一方で受電コイルに関する情報を受信したかどうかを判定する判定部と、判定部の判定結果に基づいて、第１および第２のコイルのうち情報を受信したコイルの少なくとも一方のコイルを介して電力を受電コイルに送電する送電制御部とを含む。
【００１１】
好ましくは、送電制御部は、判定部の判定結果として第１および第２のコイルの一方で受電コイルに関する情報を受信した場合には、第１および第２のコイルのうちの一方のコイルを介して、受電コイルに第１の電力を送電する。送電制御部は、判定部の判定結果として第１および第２のコイルの両方で受電コイルに関する情報を受信した場合には、第１および第２のコイルの各々を介して、受電コイルに第１の電力の半分の第２の電力を送電する。
【００１２】
好ましくは、通信部は、第１および第２のコイルを介して、受電装置に対して応答要求信号を送信する。受電装置は、通信部によって送信された応答要求信号を受信した場合、受電コイルに関する応答要求信号に対する応答信号を送信するように構成されている。
【００１３】
好ましくは、通信部は、第１および第２のコイルの少なくとも一方を介して送電される電力に重畳して情報を送受信する。
【００１４】
他の実施の形態に従うと、受電コイルを有する受電装置に対して電磁誘導により電力を供給する充電装置の制御方法が提供される。充電装置は、第１の面と、第１の面と所定の距離だけ離れた状態で対向する第２の面とを有する筐体と、記第１の面側に設けられ、第１の面と第２の面との間に配置された受電装置の受電コイルに電力を送電することが可能な第１のコイルと、第１の面側に設けられ、第１の面と第２の面との間に配置された受電装置の受電コイルに電力を送電することが可能な第２のコイルとを含む。充電装置の制御方法は、第１および第２のコイルの少なくとも一方のコイルを介して、受電装置との間で受電装置に設けられた受電コイルに関する情報を送受信するステップと、受電装置から受信した情報に基づいて、第１および第２のコイルの少なくとも一方を介した受電コイルに対する電力の送電を制御するステップとを含む。
【００１５】
さらに他の実施の形態に従うと、電池パックと、電池パックに対して電磁誘導により電力を供給する充電装置とを備える充電システムが提供される。電池パックは、受電コイルと、受電コイルで受電した電力を蓄積するための電池セルとを含む。受電コイルは、電池セルの側面を取り囲むように巻回して設けられる。充電装置は、第１の面と、第１の面と所定の距離だけ離れた状態で対向する第２の面とを有する筐体と、第１の面側に設けられ、第１の面と第２の面との間に配置された電池パックの受電コイルに電力を送電することが可能な第１のコイルと、第１の面側に設けられ、第１の面と第２の面との間に配置された電池パックの受電コイルに電力を送電することが可能な第２のコイルと、第１および第２のコイルの少なくとも一方のコイルを介して、電池パックとの間で電池パックに設けられた受電コイルに関する情報を送受信する通信部と、電池パックから受信した情報に基づいて、第１および第２のコイルの少なくとも一方を介した受電コイルに対する電力の送電を制御する制御部とを含む。
【発明の効果】
【００１６】
以上より、ある局面では、受電装置の受電コイルの配置に応じて、より効率的に受電装置への充電を行なうことが可能となる。
【図面の簡単な説明】
【００１７】
【図１】本実施の形態に従う充電システムの全体構成を示す概略斜視図である。
【図２】本実施の形態に従う充電システムの全体構成の一例を示す図である。
【図３】本実施の形態に従う充電システムの全体構成の他の一例を示す図である。
【図４】本実施の形態に従う充電装置のハードウェア構成を示すブロック図である。
【図５】本実施の形態に従う電池パックのハードウェア構成を示すブロック図である。
【図６】本実施の形態に従う充電装置の機能ブロック図である。
【図７】本実施の形態に従う充電装置が実行する充電処理の処理手順を示すフローチャートである。
【図８】本実施の形態に従う電池パックの全体構成を説明するための概略図である。
【図９】本実施の形態に従う電池パックの全体構成を示す概略平面図である。
【図１０】図９の線Ａ−Ａ’に沿う電池パックの概略断面図である。
【図１１】本実施の形態に従う充電システムのさらに他の例を示す概略図である。
【発明を実施するための形態】
【００１８】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１９】
以下の説明では、本発明の実施の形態に従う受電装置が、受電コイルと電池セルとを有する電池パックである場合について説明する。なお、受電装置は、当該電池パックを内蔵した携帯電話、スマートフォン、タブレット端端末などの携帯端末機器であってもよい。
【００２０】
＜Ａ．システム概要＞
（ａ１．概略）
本実施の形態に従う充電システム１の概要について説明する。
【００２１】
図１は、本実施の形態に従う充電システム１の全体構成を示す概略斜視図である。
図１を参照して、充電システム１は、充電装置１０と、電池パック２０とを含む。
【００２２】
充電装置１０は、コの字型の筐体１１の中空領域に電池パック２０が配置されることにより、筐体１１内に設けられた送電コイル１４０Ａ、１４０Ｂ（以下「送電コイル１４０」とも総称する。）を介して電磁誘導により電池パック２０の受電コイル２４０に電力が伝送される。より具体的には、送電コイル１４０に誘起された磁束が放射され、受電コイル２４０で当該磁束を受けることで電力が伝送され、当該電力が電池パック２０の電池セルに充電される。
【００２３】
充電装置１０は、送電コイル１４０を介して電池パック２０から受信した受電コイル２４０に関する情報に基づいて、受電コイル２４０が送電コイル１４０Ａおよび１４０Ｂのうち、いずれか一方を介して送電される電力を受電可能であると判定した場合には、当該一方の送電コイル１４０を介して電力を送電する。充電装置１０は、例えば、受電コイル２４０が筐体の片面（Ｚ軸方向に形成された片方の面）近傍に配置されている電池パック２０を充電する際に、当該動作を実行する。
【００２４】
これに対して、充電装置１０は、送電コイル１４０を介して電池パック２０から受信した受電コイル２４０に関する情報に基づいて、受電コイル２４０が送電コイル１４０Ａおよび１４０Ｂの各々を介して送電される電力を受電可能であると判定した場合には、各々の送電コイル１４０を介して電力を送電する。充電装置１０は、例えば、受電コイル２４０が筐体の両面（Ｚ軸方向に形成された両方の面）近傍に配置されている電池パック２０を充電する際に、当該動作を実行する。
【００２５】
（ａ２．動作概要（その１））
ここで、電池パック２０が、筐体の片面近傍に受電コイル２４０が配置された電池パック２０Ａである場合に、充電装置１０が電池パック２０Ａを充電する際の動作概要（その１）について説明する。
【００２６】
図２は、本実施の形態に従う充電システム１の全体構成の一例を示す図である。
まず、本実施の形態に従う充電装置１０の構成について説明する。
【００２７】
図２を参照して、充電装置１０は、コの字型の筐体１１と、送電コイル１４０と、図示しない回路基板とを含む。当該回路基板には、送電コイル１４０への電力の供給などを制御するための送電制御回路が実装されている。送電制御回路には、後述するＣＰＵ（Central  Processing  Unit）と、メモリと、ＤＣ（Direct  Current）−ＡＣ（Alternating  Current）コンバータ回路と、変復調回路とが少なくとも実装されている。
【００２８】
筐体１１は、充電面１２Ａと、充電面１２Ａと所定の距離だけ離れた状態で対向する充電面１２Ｂとを有する。筐体１１は、当該所定の距離を調整可能に構成されていてもよい。
【００２９】
送電コイル１４０Ａは、充電面１２Ａ側に設けられ、充電面１２Ａと充電面１２Ｂとの間に配置された電池パック２０の受電コイル２４０に電力を送電することが可能である。送電コイル１４０Ｂは、充電面１２Ｂ側に設けられ、充電面１２Ａと充電面１２Ｂとの間に配置された電池パック２０の受電コイル２４０に電力を送電することが可能である。より詳細には、受電コイル２４０が充電面１２Ａに近接して配置されている場合に、送電コイル１４０Ａは、当該受電コイル２４０に電力を送電することが可能であり、受電コイル２４０が充電面１２Ｂに近接して配置されている場合に、送電コイル１４０Ｂは、当該受電コイル２４０に電力を送電することが可能である。
【００３０】
次に、本実施の形態に従う電池パック２０Ａの構成について説明する。
電池パック２０Ａは、筐体内に受電コイル２４０と、電池セル２６０と、フェライトシート２８０と、回路基板２９０とを含む。回路基板２９０には、受電コイル２４０によって受電された電力の電池セル２６０への充電などを制御する受電制御回路が実装されている。受電制御回路は、後述するＣＰＵと、変復調回路と、充電回路と、メモリと、ＡＣ−ＤＣコンバータ回路とが少なくとも実装されている。
【００３１】
フェライトシート２８０は、電池セル２６０に対して外部で発生する磁界を遮断することができる。より具体的には、送電コイル１４０から放射された磁束が電池セル２６０に侵入することを防ぐことができる。これにより、例えば、電池セル２６０が金属缶により外装されている場合には、当該金属缶の発熱を抑制することができる。なお、フェライトシート２８０は、フェライト以外の磁性材料で構成された外部磁界を遮断する磁性シートであってもよい。
【００３２】
ここで、図２では、受電コイル２４０が送電コイル１４０Ａ（充電面１２Ａ）に近接し、電池セル２６０が送電コイル１４０Ｂ側（充電面１２Ｂ側）に近接するように電池パック２０Ａが配置された例が示されている。
【００３３】
充電装置１０は、送電コイル１４０を介して応答要求信号を受電コイル２４０に対して送信する。ここで、電池パック２０は、受電コイル２４０を介して充電装置１０から送信された当該応答要求信号を受信した場合には、受電コイル２４０を介して当該応答要求信号に対する応答信号を送信するように構成されている。
【００３４】
本例においては、送電コイル１４０Ａと受電コイル２４０とが近接して配置されている。そのため、電池パック２０Ａは、受電コイル２４０を介して、充電装置１０から送電コイル１４０Ａを介して送信された応答要求信号を受信し、受電コイル２４０を介して当該応答要求信号に対する応答信号を送電コイル１４０Ａに送信する。本例においては、受電コイル２４０と送電コイル１４０Ｂとが近接して配置されていないため、電池パック２０Ａは、受電コイル２４０を介して、送電コイル１４０Ｂを介して送信された応答要求信号を受信しない（できない）。したがって、当該応答要求信号に対する応答信号は、受電コイル２４０を介して送電コイル１４０Ｂには送信されない。
【００３５】
次に、充電装置１０は、送電コイル１４０Ａを介して当該応答信号を受信するため、送電コイル１４０Ａを介して送電される電力を受電コイル２４０が受電可能であると判定する。そして、充電装置１０は、送電コイル１４０Ａを介して受電コイル２４０に電力を送電する。
【００３６】
このとき、上述したように、充電装置１０は、送電コイル１４０Ｂを介しては電力を送電しない。すなわち、フェライトシート２８０が電池セル２６０に取り付けられていない側（充電面１２Ｂ側）からは、電力が送電されないため、電池セル２６０が金属缶により外装されている場合であっても、発熱の影響を気にする必要がない。
【００３７】
（ａ３．動作概要（その２））
次に、電池パック２０が、筐体の両面近傍に受電コイル２４０が配置された電池パック２０Ｂである場合に、充電装置１０が電池パック２０Ｂを充電する際の動作概要（その２）について説明する。
【００３８】
図３は、本実施の形態に従う充電システム１の全体構成の他の一例を示す図である。
図３を参照して、充電装置１０は、図２で説明した充電装置１０の構成と同様であるため、その詳細な説明は繰り返さない。
【００３９】
電池パック２０Ｂは、筐体の下面近傍、上面近傍にそれぞれ受電コイル２４０Ａ、２４０Ｂが設けられるとともに、電池セル２６０の上下面にフェライトシート２８０が取り付けられている点で電池パック２０Ａと異なる。なお、電池セル２６０は、受電コイル２４０Ａと受電コイル２４０Ｂとの間に配置される。
【００４０】
図３では、受電コイル２４０Ａが送電コイル１４０Ａ（充電面１２Ａ）に近接するとともに、受電コイル２４０Ｂが送電コイル１４０Ｂ（充電面１２Ｂ）に近接するように電池パック２０Ｂが配置された例について示している。
【００４１】
充電装置１０は、送電コイル１４０を介して応答要求信号を受電コイル２４０に対して送信する。本例においては、送電コイル１４０Ａおよび１４０Ｂが、それぞれ受電コイル２４０Ａおよび２４０Ｂに近接している。そのため、電池パック２０Ｂは、受電コイル２４０Ａを介して、充電装置１０から送電コイル１４０Ａを介して送信された応答要求信号を受信し、受電コイル２４０Ａを介して当該応答要求信号に対する応答信号を送信する。また、電池パック２０Ｂは、受電コイル２４０Ｂを介して、充電装置１０から送電コイル１４０Ｂを介して送信された応答要求信号を受信し、受電コイル２４０Ｂを介して当該応答要求信号に対する応答信号を送信する。
【００４２】
次に、充電装置１０は、送電コイル１４０Ａおよび１４０Ｂの各々を介して当該応答信号を受信する。充電装置１０は、送電コイル１４０Ａを介して送電される電力を受電コイル２４０Ａが受電可能であると判定するとともに、送電コイル１４０Ｂを介して送電される電力を受電コイル２４０Ｂが受電可能であると判定する。そして、充電装置１０は、送電コイル１４０Ａを介して受電コイル２４０Ａに電力を送電し、送電コイル１４０Ｂを介して受電コイル２４０Ｂに電力を送電する。
【００４３】
ここで、充電装置１０が、図２の例のように、送電コイル１４０Ａおよび１４０Ｂのうちのいずれか一方の送電コイル（図２の例では、送電コイル１４０Ａ）を介して送電する電力を第１の電力とする。図３の例では、充電装置１０は、第１の電力の半分の第２の電力を送電コイル１４０Ａおよび１４０Ｂの各々を介して電池パック２０Ｂに送電する。すなわち、充電装置１０は、送電コイル１４０Ａを介して当該第２の電力を受電コイル２４０Ａに送電し、送電コイル１４０Ｂを介して当該第２の電力を受電コイル２４０Ｂに送電する。したがって、１つの送電コイル１４０で送電する場合と比較して、充電効率は同等でかつ各々の送電コイル１４０から送電される電力を半分にすることができるため、送電によって各々の送電コイル１４０の周辺で発生する発熱を抑制することができる。
【００４４】
なお、送電コイル１４０Ａおよび１４０Ｂの各々を介して第１の電力を送電（すなわち、送電コイルが１つの場合と比較して２倍の電力を送電）することにより、電池パック２０Ｂの充電をより早く行なう場合であってもよい。また、送電コイル１４０Ａおよび１４０Ｂの各々を介して送電される電力が上記以外の比率である場合（例えば、送電コイル１４０Ａを介して第１の電力の１／３の電力を送電し、送電コイル１４０Ｂを介して第１の電力の２／３の電力を送電する場合）であってもよい。
【００４５】
以上より、充電装置１０は、電池パック２０が受電可能な方向に対応した送電コイル１４０を介して電力を送電するため、電池パック２０の構成（片面から充電可能な構成なのか、両面から充電可能な構成なのか）に応じて、より効率的に電力を送電できる。
【００４６】
また、充電装置１０では、送電コイル１４０にて、電力の送電と信号の送受信とを兼用しているため、別途信号用の部品を設ける必要がなく、部品点数を少なくすることができる。
【００４７】
また、充電装置１０が、電池パック２０の構成を判定し、適切に電力を送電するため、ユーザは、受電コイル２４０が電池パック２０のどの面に配置されているかを認識しておく必要もない。
【００４８】
以下、上記のような充電装置１０および電池パック２０を含む充電システム１について詳細に説明する。
【００４９】
＜Ｂ．ハードウェア構成＞
次に、充電装置１０および電池パック２０のハードウェア構成について説明する。
【００５０】
（ｂ１．充電装置１０）
図４は、本実施の形態に従う充電装置１０のハードウェア構成を示すブロック図である。
【００５１】
図４を参照して、充電装置１０は、ＣＰＵ１００と、メモリ１１０と、ＡＣアダプタ１１２と、ＤＣ−ＡＣコンバータ回路１２０と、変復調回路１３０と、送電コイル１４０とを含む。
【００５２】
ＣＰＵ１００は、メモリ１１０に記憶されたプログラムを読み出して実行することで、充電装置１０の各部を制御する。より詳細にはＣＰＵ１００は、当該プログラムを実行することによって、後述する充電装置１０の処理（ステップ）の各々を実現する。ＣＰＵ１００は、例えば、マイクロプロセッサ（Microprocessor）である。なお、当該ハードウェアは、ＣＰＵ以外のＦＰＧＡ（Field  Programmable  Gate Array）、ＡＳＩＣ（Application  Specific  Integrated  Circuit）およびその他の演算機能を有する回路などであってもよい。
【００５３】
メモリ１１０は、ＲＡＭ（Random  Access  Memory）、ＲＯＭ（Read-Only  Memory）、フラッシュメモリなどによって実現される。メモリ１１０は、ＣＰＵ１００によって実行されるプログラム、データなどを記憶する。
【００５４】
ＡＣアダプタ１１２は、外部に設けられる商用電源より供給される交流電力を直流電力に変換して充電装置１０に電力を供給する。
【００５５】
ＤＣ−ＡＣコンバータ回路１２０は、ＡＣアダプタ１１２によって変換された直流電力を交流電力に変換して送電コイル１４０に供給する。換言すると、ＣＰＵ１００は、ＤＣ−ＡＣコンバータ回路１２０に指示することにより、所定の交流電力を送電コイル１４０に供給させる。
【００５６】
変復調回路１３０は、充電装置１０が送電コイル１４０を介して電池パック２０に情報を送信する場合、その情報に対応する変調信号（通信信号）を生成し、当該変調信号を送電コイル１４０に出力する。そして、当該変調信号は、送電コイル１４０を介して受電コイル２４０に送信される。また、変調信号は、送電コイル１４０を介して送電される交流電力（波形）に重畳して受電コイル２４０に送信されてもよい。これに対して、充電装置１０が送電コイル１４０を介して電池パック２０から情報を受信する場合、変復調回路１３０は、送電コイル１４０を介して受信した、電池パック２０から送信された変調信号を復調する。換言すると、ＣＰＵ１００は、変復調回路１３０と送電コイル１４０とを介して電池パック２０との間で情報を送受信する。
【００５７】
（ｂ２．電池パック２０）
図５は、本実施の形態に従う電池パック２０のハードウェア構成を示すブロック図である。
【００５８】
図５を参照して、電池パック２０は、ＣＰＵ２００と、メモリ２１０と、ＡＣ−ＤＣコンバータ回路２２０と、変復調回路２３０と、受電コイル２４０と、充電回路２５０と、電池セル２６０とを含む。
【００５９】
ＣＰＵ２００は、メモリ２１０に記憶されたプログラムを読み出して実行することで、電池パック２０の各部を制御する。ＣＰＵ２００は、例えば、マイクロプロセッサである。なお、当該ハードウェアは、ＣＰＵ以外のＦＰＧＡ、ＡＳＩＣおよびその他の演算機能を有する回路などであってもよい。
【００６０】
メモリ２１０は、ＲＡＭ、ＲＯＭ、フラッシュメモリなどによって実現される。メモリ２１０は、ＣＰＵ２００によって実行されるプログラム、データなどを記憶する。
【００６１】
ＡＣ−ＤＣコンバータ回路２２０は、受電コイル２４０によって受電された交流電力を直流電力に変換して充電回路２５０に伝送する。充電回路２５０は、ＡＣ−ＤＣコンバータ回路２２０から伝送された直流電力で電池セル２６０を充電する。
【００６２】
変復調回路２３０は、電池パック２０が受電コイル２４０を介して充電装置１０から情報を受信する場合、受電コイル２４０を介して受信した、充電装置１０から送信された変調信号を復調する。これに対して、電池パック２０が受電コイル２４０を介して充電装置１０に情報を送信する場合、その情報に対応する変調信号を生成し、当該変調信号を受電コイル２４０に伝送する。そして、変調信号は、受電コイル２４０を介して送電コイル１４０に送信される。換言すると、ＣＰＵ２００は、変復調回路２３０と受電コイル２４０とを介して充電装置１０との間で情報を送受信する。例えば、ＣＰＵ２００は、受電コイル２４０を介して充電装置１０によって送信された当該応答要求信号を受信した場合には、受電コイル２４０を介して当該応答要求信号に対する応答信号を送信する。
【００６３】
＜Ｃ．機能構成＞
次に、充電装置１０の機能構成について説明する。
【００６４】
図６は、本実施の形態に従う充電装置１０の機能ブロック図である。
図６を参照して、充電装置１０は、主たる機能構成として、通信部１０２と、判定部１０４と、送電制御部１０６とを含む。これらの構成は、基本的には、充電装置１０のＣＰＵ１００がメモリ１１０に格納されたプログラムを実行し、充電装置１０の構成要素へ指令を与えることなどによって実現される。すなわち、ＣＰＵ１００は、充電装置１０の動作全体を制御する制御部としての機能を有する。なお、これらの機能構成の一部または全部はハードウェアで実現されていてもよい。
【００６５】
通信部１０２は、送電コイル１４０Ａおよび１４０Ｂの少なくとも一方を介して（用いて）、電池パック２０との間で電池パック２０に設けられた受電コイル２４０に関する情報を送受信する。より具体的には、通信部１０２は、受電コイル２４０が送電コイル１４０Ａを介して送電される電力を受電可能なのか、受電コイル２４０が送電コイル１４０Ｂを介して送電される電力を受電可能なのかという情報を送受信する。
【００６６】
通信部１０２は、例えば、送電コイル１４０Ａおよび１４０Ｂを介して、電池パック２０に対して受電コイル２４０に関する情報を送信するように要求するための応答要求信号を送信する。ここで、上述したように、電池パック２０は、受電コイル２４０を介して、通信部１０２によって送信された当該応答要求信号を受信した場合には、受電コイル２４０を介して、応答要求信号に対する応答信号を送信するように構成されている。
【００６７】
そして、通信部１０２が、送電コイル１４０Ａを介して当該応答信号を受信したことは、受電コイル２４０が送電コイル１４０Ａを介して送電される電力を受電可能であるという情報を受信したことに相当する。同様に、通信部１０２が、送電コイル１４０Ｂを介して応答信号を受信したことは、受電コイル２４０が送電コイル１４０Ｂを介して送電される電力を受電可能であるという情報を受信したことに相当する。通信部１０２は、別の局面では、送電コイル１４０Ａおよび１４０Ｂの少なくとも一方を介して送電される電力に重畳して受電コイル２４０に関する情報を送受信する。なお、通信部１０２は、主にＣＰＵ１００と変復調回路１３０とで実現される機能である。
【００６８】
判定部１０４は、通信部１０２が送電コイル１４０Ａおよび１４０Ｂの少なくとも一方を介して受電コイル２４０に関する情報を受信したかどうかを判定する。判定部１０４は、通信部１０２が送電コイル１４０Ａから当該情報を受信したと判定した場合には、受電コイル２４０が送電コイル１４０Ａを介して送電される電力を受電可能であるとの判定結果を後述する送電制御部１０６に出力する。また、判定部１０４は、通信部１０２が送電コイル１４０Ｂから当該情報を受信したと判定した場合には、受電コイル２４０が送電コイル１４０Ｂを介して送電される電力を受電可能であるとの判定結果を後述する送電制御部１０６に出力する。
【００６９】
送電制御部１０６は、判定部１０４の判定結果に基づいて、送電コイル１４０Ａおよび１４０Ｂのうち受電コイル２４０に関する情報を受信した送電コイルの少なくとも一方の送電コイルを介して電力を受電コイル２４０に送電する。より具体的には、送電制御部１０６は、判定部１０４の判定結果として送電コイル１４０Ａおよび１４０Ｂの一方で受電コイル２４０に関する情報を受信した場合には、当該一方の送電コイル１４０（当該情報を受信した方の送電コイル１４０）を介して、受電コイル２４０に第１の電力を送電する。送電制御部１０６は、判定部１０４の判定結果として送電コイル１４０Ａおよび１４０Ｂの両方で受電コイル２４０に関する情報を受信した場合には、送電コイル１４０Ａおよび１４０Ｂの各々を介して、受電コイル２４０に第１の電力の半分の第２の電力を送電する。なお、送電制御部１０６は、主にＣＰＵ１００とＤＣ−ＡＣコンバータ回路１２０とで実現される機能である。
【００７０】
＜Ｄ．処理例＞
次に、充電装置１０が実行する充電処理の処理手順について説明する。
【００７１】
図７は、本実施の形態に従う充電装置１０が実行する充電処理の処理手順を示すフローチャートである。ここでは、送電コイル１４０Ａおよび１４０Ｂの一方を第１の送電コイルと記載し、他方を第２の送電コイルと記載する。また、上述した第１の電力を標準電力と記載する。
【００７２】
図７を参照して、ＣＰＵ１００は、第１の送電コイルを介して電池パック２０から受電コイル２４０に関する情報に対応する信号を受信したか否かを判断する（ステップＳ１０２）。より具体的には、ＣＰＵ１００は、第１の送電コイルを介して電池パック２０に応答要求信号を送信し、電池パック２０から当該応答要求信号に対する応答信号を第１の送電コイルを介して受信したか否かを判断する。
【００７３】
ＣＰＵ１００は、第１の送電コイルを介して当該応答信号を受信していない場合には（ステップＳ１０２においてＮＯの場合）、後述するステップＳ１１６以降の処理を実行する。
【００７４】
これに対して、ＣＰＵ１００は、第１の送電コイルを介して当該応答信号を受信した場合には（ステップＳ１０２においてＹＥＳの場合）、受電コイル２４０が第１の送電コイルを介して送電される電力を受電可能であると判定する（ステップＳ１０４）。換言すると、ＣＰＵ１００は、第１の送電コイルを介して電池パック２０に電力を送電可能であると判定する。
【００７５】
次に、ＣＰＵ１００は、第２の送電コイルを介して電池パック２０から受電コイル２４０に関する情報に対応する信号を受信したか否かを判断する（ステップＳ１０６）。より具体的には、ＣＰＵ１００は、第２の送電コイルを介して電池パック２０に応答要求信号を送信し、電池パック２０から当該応答要求信号に対する応答信号を第２の送電コイルを介して受信したか否かを判断する。
【００７６】
ＣＰＵ１００は、第２の送電コイルを介して当該応答信号を受信した場合には（ステップＳ１０６においてＹＥＳの場合）、受電コイル２４０が第２の送電コイルを介して送電される電力を受電可能であると判定する（ステップＳ１０８）。すなわち、ＣＰＵ１００は、受電コイル２４０が第１の送電コイルを介して送電される電力を受電可能であるとともに、第２の送電コイルを介して送電される電力も受電可能であると判定する。これは、例えば、電池パック２０が、上述した図３で説明した電池パック２０Ｂのような場合である。そして、ＣＰＵ１００は、ＤＣ−ＡＣコンバータ回路１２０に指示することで、第１および第２の送電コイルの各々を介して標準電力の半分の電力を受電コイル２４０に送電して（ステップＳ１１０）、処理を終了する。
【００７７】
これに対して、ＣＰＵ１００は、第２の送電コイルを介して当該応答信号を受信していない場合には（ステップＳ１０６においてＮＯの場合）、受電コイル２４０が第２の送電コイルを介して送電される電力を受電不可能であると判定する（ステップＳ１１２）。すなわち、ＣＰＵ１００は、受電コイル２４０が第１の送電コイルを介して送電される電力のみ受電可能であると判定する。これは、例えば、電池パック２０の構成が、上述した図２で説明した電池パック２０Ａのような場合である。そして、ＣＰＵ１００は、ＤＣ−ＡＣコンバータ回路１２０に指示することで、第１の送電コイルを介して標準電力を受電コイル２４０に送電して（ステップＳ１１４）、処理を終了する。
【００７８】
次に、ステップＳ１１６以降の処理について説明する。
ＣＰＵ１００は、第１の送電コイルを介して当該応答信号を受信していない場合には（ステップＳ１０２においてＮＯの場合）、受電コイル２４０が第１の送電コイルを介して送電される電力を受電不可能であると判定する（ステップＳ１１６）。
【００７９】
次に、ＣＰＵ１００は、第２の送電コイルを介して電池パック２０から受電コイル２４０に関する情報に対応する信号を受信したか否かを判断する（ステップＳ１１８）。
【００８０】
ＣＰＵ１００は、第２の送電コイルを介して当該応答信号を受信した場合には（ステップＳ１１８においてＹＥＳの場合）、受電コイル２４０が第２の送電コイルを介して送電される電力のみ受電可能であると判定する（ステップＳ１２０）。これは、例えば、電池パック２０の構成が、上述した図２で説明した電池パック２０Ａのような場合である。そして、ＣＰＵ１００は、ＤＣ−ＡＣコンバータ回路１２０に指示することで、第２の送電コイルを介して標準電力を受電コイル２４０に送電して（ステップＳ１２２）、処理を終了する。
【００８１】
これに対して、ＣＰＵ１００は、第２の送電コイルを介して当該応答信号を受信していない場合には（ステップＳ１１８においてＮＯの場合）、受電コイル２４０が第２の送電コイルを介して送電される電力を受電不可能であると判定する（ステップＳ１２４）。すなわち、ＣＰＵ１００は、受電コイル２４０が第１の送電コイルを介して送電される電力を受電不可能であるとともに、第２の送電コイルを介して送電される電力も受電不可能であると判定する。そして、ＣＰＵ１００は、処理を終了する。このとき、ＣＰＵ１００は、電池パック２０に対して電力を送電しない。これは、例えば、充電装置１０に対して電池パック２０が適切に配置されていないか、電池パック２０にそもそも受電コイル２４０が含まれていない場合などである。
【００８２】
上記によると、充電装置１０は、電池パック２０が受電可能な方向に対応した送電コイル１４０から電力を送電するため、電池パック２０の構成に応じて、より効率的に電力を送電できる。そのため、ユーザが、電池パック２０のどの面に受電コイルが配置されているかを特に意識しなくとも、筐体の中空領域に配置するだけで適切な充電が実行される。
【００８３】
また、充電装置１０では、送電コイル１４０にて、電力の送電と信号の送受信とを兼用しているため、別途信号用の部品を設ける必要がなく、部品点数を少なくすることができる。
【００８４】
＜Ｅ．変形例＞
上記では、電池パック２０の構成として、１つの受電コイル２４０が筐体の片面近傍に配置され、いずれか一方の送電コイル１４０を介して送電される電力のみ受電可能に構成されている電池パック２０Ａと、２つの受電コイル２４０が筐体のそれぞれ上面および下面に配置され、各々の送電コイル１４０を介して送電される電力を受電可能に構成されている電池パック２０Ｂとを例に挙げて説明した。
【００８５】
ここでは、電池パック２０の構成の変形例である、１つの受電コイル２４０が各々の送電コイル１４０を介して送電される電力を受電可能に構成されている電池パック２０Ｃを、充電装置１０が充電する際の動作について説明する。なお、充電装置１０のハードウェア構成および機能構成は、上述した構成と同様であるため、その詳細な説明は繰り返さない。
【００８６】
（ｅ１．電池パック２０Ｃの構成）
図８は、本実施の形態に従う電池パック２０Ｃの全体構成を説明するための概略図である。なお、図８では、電池パック２０Ｃのケース部材内に含まれる各部品が示されている。
【００８７】
図８を参照して、電池パック２０Ｃは、ケース部材内に受電コイル２４０と、電池セル２６０と、ケーブル線２６２と、鉄心２７０と、フェライトシート２８０と、回路基板２９０とを含む。
【００８８】
受電コイル２４０は、電池セル２６０の側面を取り囲むように巻回される。より具体的には、受電コイル２４０は、電池セル２６０の側面を取り囲むように配置された鉄心２７０の外周に巻回される。なお、電池セル２６０は、後述する接続端子とケーブル線２６２とを介して回路基板２９０に接続される。
【００８９】
鉄心２７０は、中空形状であり、上述したように電池セル２６０の側面を取り囲むように配置される。換言すると、電池セル２６０は、鉄心２７０の中空部（内側領域）に配置される。鉄心２７０は、送電コイル１４０から放射された磁束を集めるように働くため、磁束密度を増加させることができる。したがって、送電コイル１４０から放射された磁束をより効率的に鉄心２７０の外周に巻回された受電コイル２４０で受けることができ、電池セル２６０の充電効率を向上させることができる。また、鉄心２７０は、受電コイル２４０の支えとしてとしての役割および、電池パック２０Ｃの落下時等における衝撃から電池セル２６０を保護する役割も有する。なお、鉄心２７０は、例えば、コバルト、ニッケルなどの強磁性体によって構成されていてもよい。
【００９０】
フェライトシート２８０は、電池セル２６０の上面および下面に取り付けられる点で電池パック２０Ｂと同様である。フェライトシート２８０は、電池セル２６０に対して外部で発生する磁界を遮断する。
【００９１】
電池パック２０Ｃの全体構成についてさらに説明する。
図９は、本実施の形態に従う電池パック２０Ｃの全体構成を示す概略平面図である。
【００９２】
図９を参照して、電池パック２０Ｃの全体構成について説明する。
ケース部材２９２は、受電コイル２４０と、電池セル２６０と、鉄心２７０と、フェライトシート２８０と、回路基板２９０とを収納するための収納部材である。ケース部材２９２は、例えば、樹脂材料により構成される。
【００９３】
電池セル２６０は、ケース部材２９２の略中央に配置される。そして、上述したように、中空の鉄心２７０は、電池セル２６０の側面（Ｘ軸方向またはＹ軸方向に形成された面）を取り囲むように配置される。
【００９４】
また、電池セル２６０は、上面または下面（Ｚ軸方向に形成された面）に電池セル２６０と回路基板２９０とを接続するための接続端子２６４が設けられている。なお、図９の例では、接続端子２６４は、電池セル２６０の下面（裏面）に設けられている。電池セル２６０は、接続端子２６４とケーブル線２６２とを介して回路基板２９０に接続される。
【００９５】
回路基板２９０は、鉄心２７０の側面（Ｘ軸方向またはＹ軸方向に形成された面）に沿って鉄心２７０に近接して配置される。例えば、受電コイル２４０および電池セル２６０の各々が、回路基板２９０と接続される側の面が鉄心２７０の側面に沿って鉄心２７０に近接して配置される。当該構成により、電池パック２０Ｃ全体を薄型化することができる。
【００９６】
次に、電池パック２０Ｃの断面構造について説明する。
図１０は、図９の線Ａ−Ａ’に沿う電池パック２０Ｃの概略断面図である。
【００９７】
図１０を参照すると、鉄心２７０の外表面と、フェライトシート２８０が上下面に取り付けられた電池セル２６０の外表面とが略一致していることがわかる。すなわち、電池セル２６０の厚みと略一致する高さの鉄心２７０が、電池セル２６０の側面を取り囲むように配置されている。そして、受電コイル２４０は、鉄心２７０の外周に巻回されることで、電池セル２６０の厚みを利用して、受電コイル２４０を巻回することが可能となる。したがって、電池パック２０Ｃは、電池セル２６０の上下方向に受電コイル２４０を配置した電池パック２０Ｂと比べて薄型化することが可能となる。
【００９８】
（ｅ２．動作概要）
次に、充電装置１０が電池パック２０Ｃを充電する際の動作概要について説明する。
【００９９】
図１１は、本実施の形態に従う充電システム１のさらに他の例を示す概略図である。充電装置１０は、図２で説明した充電装置１０の構成と同様であるため、その詳細な説明は繰り返さない。
【０１００】
図１１を参照して、電池セル２６０の側面を取り囲むように巻回された受電コイル２４０が送電コイル１４０Ａ（充電面１２Ａ）および送電コイル１４０Ｂ（充電面１２Ｂ）に近接していることがわかる。
【０１０１】
充電装置１０は、送電コイル１４０を介して応答要求信号を受電コイル２４０に対して送信する。本例では、送電コイル１４０Ａおよび１４０Ｂが、受電コイル２４０に近接しているため、電池パック２０Ｃは、受電コイル２４０を介して、充電装置１０から送電コイル１４０を介して送信された応答要求信号を受信し、受電コイル２４０を介して、当該応答要求信号に対する応答信号を送電コイル１４０Ａに送信する。また、電池パック２０Ｃは、受電コイル２４０を介して、充電装置１０から送電コイル１４０Ｂを介して送信された応答要求信号を受信し、受電コイル２４０を介して、当該応答要求信号に対する応答信号を送電コイル１４０Ｂに送信する。
【０１０２】
次に、充電装置１０は、電池パック２０Ｃが送電コイル１４０Ａおよび１４０Ｂの各々を介して当該応答信号を受信するため、送電コイル１４０Ａおよび１４０Ｂの各々を介して送電される電力を受電可能であると判定する。そして、充電装置１０は、送電コイル１４０Ａおよび１４０Ｂの各々を介して受電コイル２４０に電力を送電する。このとき、充電装置１０は、送電コイル１４０Ａを介して第１の電力の半分の第２の電力を受電コイル２４０に送電するとともに、送電コイル１４０Ｂを介して当該第２の電力を受電コイル２４０に送電する。
【０１０３】
すなわち、充電装置１０が電池パック２０Ｃを充電する際の処理手順は、充電装置１０が電池パック２０Ｂを充電する際の処理手順と同様である。より具体的には、充電装置１０のＣＰＵ１００は、ステップＳ１０２〜ステップＳ１１０の処理を実行する。
【０１０４】
上記によると、充電装置１０は、電池パック２０Ｃが両面方向から受電可能と判定するため、送電コイル１４０Ａおよび１４０Ｂから電力が送電される。そのため、１つの送電コイル１４０で送電する場合と比較して、充電効率は同等でかつ各々の送電コイル１４０から送電される電力を半分にすることができることから、送電によって各々の送電コイル１４０の周辺で発生する発熱を抑制することができる。なお、図３の例のような場合と同様に、送電コイル１４０Ａおよび１４０Ｂの各々を介して第１の電力を送電することにより、電池パック２０Ｃの充電をより早く行なう場合であったり、送電コイル１４０Ａおよび１４０Ｂを介して送電される電力が上記以外の比率であってもよい。
【０１０５】
また、充電装置１０では、送電コイル１４０にて、電力の送電と信号の送受信とを兼用しているため、別途信号用の部品を設ける必要がなく、部品点数を少なくすることができる。
【０１０６】
また、充電装置１０が、電池パック２０の構成を判定し、適切に電力を送電するため、ユーザは、受電コイル２４０が電池パック２０のどの面に配置されているかを認識しておく必要もない。
【０１０７】
さらに、電池パック２０Ｃは、１つの受電コイル２４０を用いているため、電池パック２０Ｂと比較して受電コイル２４０の部品点数を少なくすることができる。
【０１０８】
＜Ｆ．その他の実施の形態＞
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０９】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１１０】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１１１】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１１２】
１  充電システム、１０  充電装置、１１  筐体、１２Ａ，１２Ｂ  充電面、２０，２０Ａ，２０Ｂ，２０Ｃ  電池パック、１００，２００  ＣＰＵ、１０２  通信部、１０４  判定部、１０６  送電制御部、１１０，２１０  メモリ、１１２  ＡＣアダプタ、１２０，２２０  コンバータ回路、１３０，２３０  変復調回路、１４０，１４０Ａ，１４０Ｂ  送電コイル、２４０，２４０Ａ，２４０Ｂ  受電コイル、２５０  充電回路、２６０  電池セル、２６２  ケーブル線、２６４  接続端子、２７０  鉄心、２８０  フェライトシート、２９０  回路基板、２９２  ケース部材。
【図１】
2014017921.tif 000003
【図２】
2014017921.tif 000004
【図３】
2014017921.tif 000005
【図４】
2014017921.tif 000006
【図５】
2014017921.tif 000007
【図６】
2014017921.tif 000008
【図７】
2014017921.tif 000009
【図９】
2014017921.tif 000010
【図１０】
2014017921.tif 000011
【図１１】
2014017921.tif 000012
【図８】
2014017921.tif 000013